(57)【要約】【課題】  構成がシンプルで、手軽に利用することができ、微生物の繁殖の元となる土壌を用いず、しかも根腐れが生じにくい植物栽培装置を提供する。【解決手段】  非透水性の容器１１と、その容器の上部を塞ぐように設けられ、植物を支持するための支持部材１２と、容器１１の下部から支持部材１２の上面に水を送るための給水手段１３と、支持部材１２の下方と外部との間に空気を供給する空気供給手段とを備えている植物栽培装置１０。容器１１は容器本体１４とカバー１５とからなり、支持部材１２は、金網２１、支持プレート２２ａ、ブロック材２２ｂ、中心部材２５および遮光板２３からなる。給水手段１３はポンプ３５と給水パイプ２７とからなる。【選択図】  図１
2006158383.tif 000002
【特許請求の範囲】
【請求項１】
植物の根を通気性および通水性を備えた多孔質の保持部材で保持し、その保持部材に所定の時間間隔で給水する植物栽培方法。
【請求項２】
前記所定の時間間隔が、保持部材が乾燥する時間以上である請求項１記載の植物栽培方法。
【請求項３】
非透水性の容器と、その容器の上部を塞ぐように設けられ、植物を支持するための支持部材と、支持部材に水を供給するための給水手段と、支持部材の下方と外部との間に空気を供給する空気供給手段とを備えている植物栽培装置。
【請求項４】
前記支持部材が、通気性および透水性を有する籠状ないし網状の枠体と、その枠体によって保持される柔軟で多孔質の保持部材とを備えている請求項３記載の植物栽培装置。
【請求項５】
前記保持部材の一部が、他の部分に対して着脱自在に嵌合されると共に、植物の根を挿入するための挿入部を備えている請求項４記載の植物栽培装置。
【請求項６】
前記給水手段が、容器の下部に溜められている水を汲み上げるポンプと、そのポンプに連結され、支持部材の上面に水を送る給水パイプとを備えている請求項３記載の植物栽培装置。
【請求項７】
前記保持部材に、中心近辺から側面近辺まで放射状に延び、上面から下面まで貫通する複数本の円弧状のスリットが形成されている請求項４記載の植物栽培装置。
【請求項８】
前記給水パイプが保持部材から立ち上がっており、その給水パイプの周囲に第２の保持部材が巻かれると共に、給水パイプの上端から流れる水が第２の保持部材に供給される請求項４記載の植物栽培装置。
【請求項９】
前記容器の上端の周囲に棒状の支柱が立設すると共に、それらの支柱の間に支持ひもが張られている請求項４または８記載の植物栽培装置。
【請求項１０】
前記空気供給手段が容器の内部と外部を連通する通気路である請求項３記載の植物栽培装置。
【請求項１１】
前記支持部材の上面に、給水手段から給水された水を植物を挿入する開口部まで導く給水溝が形成されている請求項３記載の植物栽培装置。
【請求項１２】
前記支持部材の下面側に、植物の根を遮るための、通気性および透水性を備えた遮根シートないし遮根プレートが設けられている請求項５記載の植物栽培装置。
【請求項１３】
前記容器内の水を加熱するヒータを備えている請求項３記載の植物栽培装置。
【請求項１４】
前記給水手段および空気供給手段が、容器の外部に設けられる水槽と、その水槽から容器内に給水し、容器内から水槽に排水するためのポンプとを備えている請求項３記載の植物栽培装置。
【請求項１５】
前記容器が複数個の水槽を備えており、前記給水手段および空気供給手段が、水槽同士を連通する通水路と、その通水路に介在される、往復送水可能なポンプとを備えている請求項３記載の植物栽培装置。
【請求項１６】
前記給水手段と空気供給手段が、支持部材を容器内に充填した水に漬かる位置と水面から離れた位置との間で上下動させる手段を備えている請求項３記載の植物栽培装置。
【請求項１７】
植物を、根を包んだ状態で保持する保持部材と、その保持部材を宙に浮かせた状態で支持するための複数本の脚を備えた枠体とを備えている植物栽培具。
【請求項１８】
前記保持部材が通気性および透水性を有する柔軟な多孔質の材料からなる請求項１７記載の植物栽培具。
【請求項１９】
前記枠体が、隙間をあけて環状に配列される、上下に延びる複数本の縦材と、それらの縦材を環状に連結するリング部材とを備えており、
前記脚の下部が、それらの縦材よりも拡がっている請求項１７記載の植物栽培具。
【請求項２０】
請求項１７〜１９のいずれかに記載の植物栽培具と、その植物栽培具の脚を載せる皿状ないし椀状の非透水性の容器とを備えている植物栽培装置。
【発明の詳細な説明】
【技術分野】
【０００１】
本発明は植物栽培方法ならびにそれに用いる植物栽培装置および植物栽培具に関する。
【背景技術】
【０００２】
【特許文献１】特開２００４−４９２１５号公報
【特許文献２】特開２００２−２７２２７５号公報
【特許文献３】特開２００２−２６２６８４号公報
【特許文献４】特開２００１−３２０９８９号公報
【０００３】
特許文献１には、植物の根を保持する土壌中に空気を通過させた浄化する植木スタンドが開示されている。この植木スタンドは、図２３に示すように、水容器１０１と、その水容器内に挿入される植木鉢１０２と、水容器と植木鉢との間の上部空間の空気を吸引するファン１０３とを備えている。植木鉢１０２の底部には、水容器１０１内の水が通る通水孔１０４が形成されており、植木鉢１０２の内部を通気部１０５と植栽部１０６とに区画する隔壁１０７が設けられている。この植木スタンドでは、ファン１０３が周囲の空気を吸引して植栽部１０６の土壌中に通す。それにより土壌中の微生物が空気中の毒素などを分解するので、周囲の空気を浄化することができる。
【０００４】
特許文献２には、図２４に示すような、栽培用水を収容する水槽１１１と、その水槽の上部に設けた栽培用容器１１２とを備えた植物栽培装置１１０が開示されている。栽培用容器１１２には土壌Ｄを入れている。栽培用容器１１２の底部には、吸水体挿通穴１１３と通気穴１１４とが形成されており、吸水体挿通穴１１３には不織布などの吸水体１１５を挿通して水槽１１１まで垂下している。水槽の底には活性炭１１６を敷き詰めて、水を浄化するようにしている。さらに多数の孔を備えたパイプ１１７で水中に空気を送り、バブリングさせて空気を浄化する。
【０００５】
特許文献３には、植物の根元部を保持し、根が下側に貫通して水面まで届くように構成したフローチングプランターが開示されている。このものは開拓などで生じたクリークなどに浮かべて、雑排水が流れ込むクリークの水の浄化に役立つものである。特許文献４には、液槽を兼ねた支持台にポンプを設け、タイマーで制御して植木鉢を支持するトレイに給液する植物栽培装置が開示されている。
【発明の開示】
【発明が解決しようとする課題】
【０００６】
特許文献１の植木スタンドは、微生物が存在する土壌中を通すように強制的に空気を循環させるので、空気浄化性能は高いが、機構が大がかりになる。さらに微生物の生育環境を維持しなければならず、逆に土壌の存在により、悪性の微生物が繁殖するおそれがある。特許文献２の植物栽培装置は構成がシンプルであるが、やはり土壌を利用しているので、上記と同様の問題がある。
【０００７】
他方、特許文献３は湖の浄化に役立つ葦の群生を人工的に設けようとするものであり、土壌を使用しない水耕栽培に利用することはできるが、根が水に浸かるので、根腐れの問題がある。特許文献４の植物栽培装置は、自動的に給水することに用いることができるが、植木鉢には土壌を入れて植物を栽培しているので、前述の土壌を用いる場合の問題点がある。
【０００８】
本発明は前記従来の土壌を用いた栽培や水耕栽培の問題を解消し、微生物の繁殖の元となる土壌を用いず、しかも根腐れが生じにくい植物栽培方法を提供することを技術課題としている。さらに本発明は、その植物栽培方法に用いられる構成がシンプルで、手軽に利用することができる植物栽培装置および植物栽培具を提供することを技術課題としている。
【課題を解決するための手段】
【０００９】
本発明の植物栽培方法は、植物の根を通気性および通水性を備えた多孔質の保持部材で保持し、その保持部材に所定の時間間隔で給水することを特徴としている。このような栽培方法においては、前記所定の時間間隔を、保持部材が乾燥する時間以上とするのが好ましい。
【００１０】
本発明の植物栽培装置は、非透水性の容器と、その容器の上部を塞ぐように設けられ、植物を支持するための支持部材と、容器の下部から支持部材に水を供給するための給水手段と、支持部材の下方と外部との間に空気を供給する空気供給手段とを備えていることを特徴としている。前記支持部材は、通気性および透水性を有する籠状ないし網状の枠体と、その枠体によって保持される柔軟で多孔質の保持部材とを備えているものが好ましい。
【００１１】
このような植物栽培装置においては、前記保持部材の一部が、他の部分に対して着脱自在に嵌合されると共に、植物の根を挿入するための挿入部を備えているものが好ましい。また前記給水手段が、容器の下部に溜められている水を汲み上げるポンプと、そのポンプに連結され、支持部材の上面に水を送る給水パイプとを備えているものが好ましい。また、前記空気供給手段が容器の内部と外部を連通する通気路であるものが好ましい。
【００１２】
さらに、前記保持部材に、中心近辺から側面近辺まで放射状に延び、上面から下面まで貫通する複数本の円弧状のスリットが形成されているものが好ましい。また、前記給水パイプが保持部材から立ち上がっており、その給水パイプの周囲に第２の保持部材が巻かれると共に、給水パイプの上端から流れる水が第２の保持部材に供給されるものが好ましい。さらに、前記容器の上端の周囲に棒状の支柱が立設すると共に、それらの支柱の間に支持ひもが張られているものが好ましい。
【００１３】
さらに前記支持部材の上面に、給水手段から給水された水を植物を挿入する開口部まで導く給水溝が形成されているものが好ましい。さらに前記支持部材の下面側に、植物の根を遮るための、通気性および透水性を備えた遮根シートないし遮根プレートが設けられている植物栽培装置が好ましい。また、前記容器内の水を加熱するヒータを備えているものが好ましい。
【００１４】
また、前記給水手段および空気供給手段が、容器の外部に設けられる水槽と、その水槽から容器内に給水し、容器内から水槽に排水するためのポンプとを備えているものであってもよい。さらに前記容器が複数個の水槽を備えており、前記給水手段および空気供給手段が、水槽同士を連通する通水路と、その通水路に介在される、往復送水可能なポンプとを備えているものであってもよい。また、前記給水手段と空気供給手段を、支持部材を容器内に充填した水に漬かる位置と水面から離れた位置との間で上下動させる手段とすることもできる。
【００１５】
本発明の植物栽培具は、植物を、根を包んだ状態で保持する保持部材と、その保持部材を宙に浮かせた状態で支持するための複数本の脚を備えた枠体とを備えていることを特徴としている。このような植物栽培具においては、前記保持部材が通気性および透水性を有する柔軟な多孔質の材料からなるものが好ましい。さらに前記枠体が、隙間をあけて環状に配列される、上下に延びる複数本の縦材と、それらの縦材を環状に連結するリング部材とを備えており、前記脚の下部が、それらの縦材よりも拡がっているものが好ましい。
【００１６】
本発明の植物栽培装置の第２の態様は、前記いずれかの植物栽培具と、その植物栽培具の脚を載せる皿状ないし椀状の非透水性の容器とを備えていることを特徴としている。
【発明の効果】
【００１７】
本発明の植物栽培方法は、植物の根を通気性および通水性を備えた多孔質の保持部材で保持し、その保持部材に所定の時間間隔で給水するので、根を水に漬ける必要がない。さらに支持部材の下方には、空気供給手段から新鮮な空気が供給される。そのため根腐れのおそれが少ない。さらに支持部材を用いているので、土壌を用いる必要がない。そのため、悪性の微生物などが繁殖しない。
【００１８】
すなわち本発明の植物栽培方法は、土壌栽培でもなく水耕栽培でもない第３の栽培方法、いわば植物空中栽培方法ともいうべきものである。そしてこの植物栽培装置に水を入れて室内などで植物を栽培することにより、土壌中の悪性の微生物や、水の腐敗による汚染から開放された植物栽培を行うことができる。さらに栽培する植物の炭酸同化作用により、新鮮な酸素が供給され、植物の葉から水分が蒸散し、給水手段により植物支持層の上面に供給された水が蒸散するので、室内などの湿度を適切な範囲に維持することができる。それにより空気浄化、あるいは空気清浄化の作用がある。
【００１９】
本発明の植物栽培装置は、容器内に水を入れ、支持部材により草花や木などの植物を保持させる。そして給水手段により容器内の水を支持部材にしみ込ませ、植物に灌水することができ、空気供給手段で支持部材を新鮮な空気に晒すことができる。それにより前記植物空中栽培方法を実施することができ、それに基づき、根腐れを防止することができ、土壌中の悪性の微生物や、水の腐敗による汚染から開放された植物栽培を行うことができる。さらに栽培する植物の炭酸同化作用および蒸散作用により、空気浄化装置、あるいは空気清浄装置として作用する。
【００２０】
前記保持部材に、中心近辺から側面近辺まで放射状に延び、上面から下面まで貫通する複数本の円弧状のスリットが形成されている場合は、保持部材が放射状に形成されたスリットの中央部で、容易に撓むことができるので、その部分に植物の根を挿入するのが容易である。
さらに、前記給水パイプが保持部材から立ち上がっており、その給水パイプの周囲に第２の保持部材が巻かれると共に、給水パイプの上端から流れる水が第２の保持部材に供給される場合は、給水パイプにより保持部材を上方で支持することができ、その保持部材に沿って水を供給することができるので、ツタなどの植物を栽培するのに適している。そして、給水のためのパイプを保持部材の内側に隠すことができるので、美観を損なわない。
また、前記容器の上端の周囲に棒状の支柱が立設すると共に、それらの支柱の間に支持ひもが張られている場合は、ツタなどの植物をその支柱および支持ひもに絡ませて成長させることができる。
【００２１】
前記支持部材が通気性および透水性を有する籠状ないし網状の枠体と、その枠体によって保持される柔軟で多孔質の保持部材とを備えている場合は、植物の根の部分を保持部材により保持させることにより、植物を安定して立てることができ、枠体によって保持部材および植物の重量を支えることができる。
【００２２】
また前記保持部材の一部が、他の部分に対して着脱自在に嵌合されると共に、植物の根を挿入するための挿入部を備えている場合は、保持部材の全体を容器から外さずに、保持部材の一部だけを外して植物を植えることができる。
【００２３】
前記給水手段が、容器の下部に溜められている水を汲み上げるポンプと、そのポンプに連結され、支持部材の上面に水を送る給水パイプとを備えている場合は、適切なときに充分な水を支持部材の上面に供給することができる。前記空気供給路が、容器の内部と外部を連通する通気路である場合は、とくに動力を用いなくても、支持部材によって支えられる植物の根に常時新鮮な空気を供給することができる。また、必要に応じて支持部材を乾燥させることができる。
【００２４】
前記支持部材の上面に、給水手段から給水された水を植物を挿入する開口部まで導く給水溝が形成されている場合は、支持部材の上面に供給される水を確実に植物の根の近辺に供給することができる。
【００２５】
前記支持部材の下面側に、植物の根を遮るための、通気性および透水性を備えた遮根シートないし遮根プレートが設けられている場合は、根が水の中まで伸びていくことを防止することができ、それにより根腐れを一層防止することができる。また、水の中に根が張ることが阻止されるので、植物の生長に合わせて容器を交換する場合に交換作業が容易になる。さらに前記容器内の水を加熱するヒータを備えている場合は、冬季など、周囲の気温が低い場合でも、水温を植物の育成に適切な温度にすることができる。
【００２６】
前記給水手段および空気供給手段が、容器の外部に設けられる水槽と、その水槽から容器内に給水し、容器内から水槽に排水するためのポンプとを備えている場合は、ポンプによって水槽から容器内に水を給水して水位を上昇させることにより、支持部材を水に浸して灌水することができる。逆にポンプで容器内から水槽側に水を送ることにより、容器内の水位を下げて支持部材を水面から上げると、支持部材を空気に充分に晒して乾燥させることができる。
【００２７】
前記容器が複数個の水槽を備えており、前記給水手段および空気供給手段が、水槽同士を連通する通水路と、その通水路に介在される、往復送水可能なポンプとを備えている場合は、ポンプを作動して一方の水槽から他方の水槽に水を送ると、前記一方の水槽の水位が下がり、他方の水槽の水位が上がる。それにより、一方の水槽内の植物の根を乾燥させることができ、他方の水槽の植物に灌水することができる。ポンプを逆に作動させると、一方の植物に灌水して他方の植物を乾燥させることができる。
【００２８】
前記給水手段と空気供給手段が、支持部材を容器内に充填した水に漬かる位置と水面から離れた位置との間で上下動させる手段を備えている場合は、支持部材を上昇させると植物が乾燥し、下降させると支持部材が水に浸かるので、植物に灌水することができる。
【００２９】
本発明の植物栽培具は、植物を、根を包んだ状態で保持する保持部材と、その保持部材を宙に浮かせた状態で支持するための複数本の脚を備えた枠体とを備えているので、保持部材に水をかけることにより植物に灌水することができる。そしてしばらく放置することにより、植物の根を乾燥させることができる。さらにこの植物栽培具は、きわめてシンプルな構成であるので、使い捨てにすることもでき、たとえば保持部材に植物の根を包んだ状態で植物の苗などを販売することができる。購入者はその植物栽培具をそのままテーブルなどに立てて、あるいは皿や椀などに載せ、保持部材に水をかけるだけで植物栽培を楽しむことができる。
【００３０】
前記保持部材が通気性および透水性を有する柔軟な多孔質の材料からなる場合は、植物の根の部分を保持部材により保持させることにより、植物を安定して立てることができ、枠体によって保持部材および植物の重量を支えることができる。また、前記枠体が、隙間をあけて環状に配列される、上下に延びる複数本の縦材と、それらの縦材を環状に連結するリング部材とを備えており、前記脚の下部が、それらの縦材依りも拡がっている場合は、通気性が高く、好ましい外観が得られると共に、植物が生長しても安定して立たせることができる。
【００３１】
本発明の植物栽培装置の第２の態様は、前記いずれかに記載の植物栽培具と、その植物栽培具の脚を載せる皿状ないし椀状の非透水性の容器とを備えているので、保持部材に水を給水したとき、余分な水が容器に溜まる。そのため、扱いやすい。
【発明を実施するための最良の形態】
【００３２】
つぎに図面を参照しながら本発明の植物栽培装置の実施の形態を説明する。図１は本発明の植物栽培装置の一実施形態を示す断面図、図２はその植物栽培装置の分解斜視図、図３は本発明の植物栽培装置の他の実施形態を示す一部断面側面図、図４は本発明の植物栽培装置のさらに他の実施形態を示す断面図、図５および図６はそれぞれその植物栽培装置の要部分解斜視図、図７は本発明の植物栽培装置に用いる保持部材を拡張していく場合を示す工程図、図８は本発明の植物栽培装置のさらに他の実施形態を示す平面図、図９は図８のIX-IX線断面図、図１０、図１１および図１２はそれぞれ本発明の植物栽培装置のさらに他の実施形態を示す斜視図、平面図および使用状態断面図、図１３はその植物栽培装置の使用方法の実施形態を示す工程図、図１４および図１５はそれぞれ本発明の植物栽培装置に用いる枠体の他の実施形態を示す平面図および正面図、図１６は図１４のXVI-XVI線断面図、図１７はその枠体の支柱を示す側面図、図１８〜２１は、それぞれ本発明の植物栽培装置ないし植物栽培システムのさらに他の実施形態を示す概略構成図、図２２は本発明の植物栽培装置に用いられるスリット付き保持部材を示す概略斜面図、図２３は本発明の植物栽培装置の他の実施形態を示す概略斜面図である。
【００３３】
図１に示す植物栽培装置１０は、容器１１と、その容器の上部に設けた支持部材１２と、容器１１内に入れられた水を支持部材１２の上方まで給水する給水手段１３とを備えている。この実施形態では、容器１１は、水を通さない容器本体１４と、その外側に被せられるカバー１５とからなる。側面および底面側では、容器本体１４とカバー１５の間に隙間ないし空間が設けられている。この実施形態では、図２に示すように、容器本体１４の外面には多数の縦溝１６が形成されている。
【００３４】
容器本体１４は、たとえば合成樹脂成形品などが用いられ、薄肉のカップ状に形成される。ただし陶器やガラスなど、他の材料も使用しうる。カバー１５も合成樹脂シート、ゴムシート、紙、布、皮革などで形成することができる。なお、カバー１５は省略することもできるが、シルクスクリーン印刷をするなど、外観をよくすることができるので、採用するのが好ましい。縦溝１６は内面側では突起となっており、補強リブとして作用する。容器本体１４の上部には縦溝１６と連続する段部１７が設けられている。ただし段部１７は必ずしも必要ではない。この実施形態では段部１７のいくらか下方の側壁で縦溝１６内に、内部と外部を連通する連通孔１８が開口している。この連通孔１８は図１に示すように、支持部材１２と容器本体に充填される水Ｗの表面との間の空間Ｓ１に空気を供給する空気供給手段となっている。ただし支持部材１２の通気性が高い場合や、支持部材に連通孔を設ける場合は、容器本体１４の連通孔１８は省略することができる。
【００３５】
図２に示すように、この実施形態では、前記支持部材１２は金網（合成樹脂製のものも含む）２１と、その金網２１の上面側に載置される保持部材２２とからなる。金網２１はステンレス製あるいは合成樹脂製など、耐水性が高いものが好ましい。ステンレスあるいは合成樹脂製のパンチングプレートであってもよい。金網２１に代えて合成樹脂背のネットあるいは籠などを用いてもよい（図４参照）。またこの実施形態では容器１１の形状に合わせて円形にしているが、角形、多角形であってもよい（図４など参照）。
【００３６】
前記保持部材２２は、下層となる円板状の支持プレート２２ａと、その上に重ねられる円柱状のブロック材２２ｂとからなる。さらにこの実施形態では、ブロック材２２ｂの上に円板状の遮光板２３が被せられている。支持プレート２２ａ、ブロック材２２ｂおよび遮光板２３は、たとえば発泡ウレタンなどの発泡樹脂、あるいは発泡ゴムなど、通気性および透水性を有する柔軟な材料で形成するのが好ましい。なお、ヤシ殻やシュロなどの天然繊維、ポリエステル繊維などの化学繊維など、通気性および透水性が高く、植物を保持できるものであれば、他の材料も採用することができる。遮光板２３は外部の光が植物Ｐの根に当たるのを防止するものであり、軟質で軽量の高分子材料が取り扱いが容易であるので好ましい。
【００３７】
この実施形態ではブロック材２２ｂの中心に開口２４が形成され、その開口に中心部材２５が嵌合されている。中心部材２５はブロック材２２ｂと同じ材質のものを用いることができる。ブロック材２２ｂの中心部を円形状に切り抜くことによっても形成することができる。中心部材２５は図２に示すように、上面から側面にかけて十文字状のスリット２５ａが形成されている。このスリット２５ａは下端近辺まで達しており、それにより図１のように植物Ｐの根の部分を挿入することができる。ブロック材２２ｂの外周には多数の切り欠き２２ｃを形成して、植物Ｐの根に対する空気の流通性を高めている。切り欠き２２ｃは省略することもできる。符号２６は後述する給水パイプ２７を通す孔である。遮光板２３の中心には、中心部材２５を通すための開口２８が形成されている。符号２９は給水パイプ２７を通す孔である。図１の実施形態では保持部材２２は支持プレート２２ａとブロック材２２ｂとに分けているが、一体にしてもよく、支持プレート２２ａは省略することもできる。また、遮光板２３も省略することができる。
【００３８】
前記中心部材２５は図１のように植物Ｐの根を包んで、通気性を損なわない範囲で根を保護するものである。中心部材２５は、粉末状あるいは錠剤状の化学肥料、あるいは有機肥料を保持する機能を備えているものが好ましい。保水性を備えているものであってもよい。また、中心部材２５は下端まで縦割りにして、複数個の部材とすることもできる。その場合は植物の根を囲むように配置してひもなどで縛る。
【００３９】
図１に戻って、容器本体１４の底板の下面には、冬季に容器１１内の水を適温に加熱するためのヒータ３３が取り付けられている。ヒータ３３の温度は制御回路で指定した温度、たとえば１０〜３５℃に水温を制御できるようにするのが好ましい。そのような制御回路は、たとえば、カバー１５あるいは容器本体１４の上部に配置した操作盤３４に設けることができる。ヒータ３３としてはコードヒータあるいはシーズヒータなどが好ましい。
【００４０】
容器本体１４の内部にはポンプ３５が配置されており、そのポンプ３５の吐出口３５ａから給水パイプ２７が上方に延びており、その上端は支持部材１２の上方まで達している。ポンプ３５と給水パイプ２７とは前述の給水手段１３を構成している。給水パイプ２７の上端は水平に折れ曲がり、植物Ｐの根元近辺に撒水するようにしている。給水パイプ２７は塩化ビニル管などが用いられる。前記ポンプ３５は熱帯魚などの水槽に用いられる水中ポンプが好ましい。ただし他のタイプのポンプであってもよい。
【００４１】
前記操作盤３４はヒータ３３のオン／オフおよび温度調節、ポンプ３５のオン／オフなどを操作するものであり、操作ボタン３６が設けられている。操作盤３４から下方に延びる電源コード３７は、カバー１５の内部を通って下側に延び、カバー１５の下端から外側に延びている。操作盤３４からポンプ３５やヒータ３３に延びる電源線ないし制御線も、カバー１５と容器本体１４の間の空間を通って容器本体１４の下部まで延びている。それにより配線を保護することができ、煩雑さを隠すことができる。
【００４２】
図１の符号３８は水位計であり、上端および下端を容器本体１４内と連通させたガラス製ないし合成樹脂製の透明なパイプと、カバー１５に設けた目盛りとからなる公知の水位計を採用することができる。また、図３に示すように、容器本体１４が透明あるいは半透明の場合は、カバー１５の一部に縦長の切り込みないしスリット３９を形成し、その縁部に目盛りＭを設けることにより、水位計３８を構成することもできる。容器本体１４およびカバー１５がいくらか下に向かって小径になっている場合は、カバー１５を容器本体１４に密着させやすい。
【００４３】
上記のように構成される植物栽培装置１０は、図１に示すように容器本体１４に水Ｗを入れ、遮光板２３の開口２８を通してブロック材２２ｂの開口２４に植物Ｐの根元部を挿入した中心部材２５を嵌合させ、全体を金網２１で支持させる。この状態でポンプ３５を作動させると、給水パイプ２７の上端から水が植物Ｐの根元部に撒水され、植物Ｐの茎や木部を伝って遮光板２３の下方のブロック材２２ｂに流れ込み、根を包む中心部材２５にしみ込む。植物Ｐが成長するに従って、根は中心部材２５の内部に張っていく。それにより植物Ｐを栽培することができる。植物Ｐがさらに成長すると、根は周囲のブロック材２２ｂの内部にも張っていくことができる。
【００４４】
上記の植物栽培装置１０に水を入れて植物１０を栽培させる場合、給水パイプ２７からの撒水作用および植物Ｐの葉の蒸散作用により、室内の湿度を適切に維持することができる。また、ブロック材２２ｂは水に浸かっていないので、ポンプ３５を一定期間停止させることにより、植物Ｐが枯れない範囲でブロック材２２ｂを乾燥させることができる。それによりブロック材２２ｂにコケが生じたり、根腐れが生ずることを防止することができる。さらに植物Ｐの葉の炭酸同化作用により酸素が発生するので、室内の空気の浄化に役立つ。すなわち、水Ｗおよび植物Ｐを入れた状態の植物栽培装置１０は、全体として空気浄化作用を奏し、いわば空気清浄器として使用することができる。
【００４５】
図１の植物栽培装置１０は下端側がいくらか細くなっている略円筒状であるが、図４〜６に示すように略角筒状の植物栽培装置４０とすることもできる。この植物栽培装置４０の容器４１は、下端からいくらか上側に底板４２を備えた有底角筒状を呈しており、上端開口に籠状の枠体４３を嵌合させるようにしている。枠体４３の上端周囲は、図４に示すような断面コ字状のフランジ４４が設けられている。枠体４３の側壁外面にはリブ４５が形成されており、それにより側壁外面と容器４１の内面との間には、空気の流通を確保するための隙間が形成される。また、容器４１の上端には、空気の流通を確保するための切り欠き４６が形成されている。
【００４６】
容器４１の上端には操作ボタン（スイッチ）３６を設けるための操作盤３４が設けられている。枠体４３のフランジ４４の対応する部位には、操作盤３４を覆うためのプレート４７が突出している。プレート４７と操作盤３４の間にはゴム板などのシール材が介在されている。容器４１の底板４２の下部は、図４に示すようにヒータ３３を収容する空洞となっている。容器４１の下端は、たとえばカバープレート４８で塞がれる。
【００４７】
容器４１の側壁には、上下に貫通する凹溝４９、４９が２個所に形成されている。それらの凹溝４９、４９は、操作盤３４とヒータ３３やポンプ３５とを連結するコードを挿入するためのものである。なお、容器４１の外面には、図３に示すようなカバー１５あるいは化粧フィルムを被せてもよい。容器４１や枠体４３は、たとえばポリエチレン、ポリプロピレン、ポリ塩化ビニルなどの合成樹脂成形品が用いられる。ただし容器４１を陶器やガラスで形成してもよく、枠体４３を金属で形成することもできる。
【００４８】
この植物栽培装置４０では、図６に示すように、支持プレート２２ａ、ブロック材２２ｂおよび遮光板２３は容器４１の形状に合わせて略角板ないし角柱状にされている。さらにそれらの全体が有底角筒状の遮根シート５０に収容した上で枠体４３内に収容するようにしている。遮根シート５０は、通気性および透水性がある不織布を角筒状に折り、ステープラ（ホッチキス）などで止めることにより形成することができる。なお、図２に示す支持プレート２２ａおよびブロック材２２ｂなども、有底円筒状の遮根シート５０で包むことができる。
【００４９】
遮根シート５０は、植物の根が容器４１内に入れる水の方に延びないようにするためのものであり、それにより根腐れを防止することができ、植え替えのときの根切りを少なくすることができる。なお、根が延びるときは、毛根が先に延びるので、不織布などでも遮ることができる。保持部材２２や遮光板２３の材料、中心部材２５の構成や材料などは、図１〜２の植物栽培装置１０の場合と同様であるので、説明を省略する。
【００５０】
図７は植物の生長に合わせて容器４１を大きくする場合に、ブロック材２２ｂの周囲に環状のブロック材５１を追加していく状態を示している。植物が成長するに従って根がブロック材２２ｂの内部まで延びるので、容器４１を交換する場合はブロック材２２ｂごと移し替えるようにする。その場合、さらに根が伸びていくスペースを確保するため、元のブロック材２２ｂの周囲に順次環状のブロック材５１を嵌合させていくのが好ましい。また、支持プレート２２ａも厚くしていくのが好ましい。
【００５１】
図１〜３の植物栽培装置１０および図４〜６の植物栽培装置４０は植木鉢タイプであるが、図８に示す植物栽培装置６０のようにプランタ型にすることもできる。この植物栽培装置６０は、角形の容器６１と、その容器の上部開口に嵌合された支持部材６２と、給水手段６３とを備えている。容器６１は合成樹脂、陶器、ガラスなどで構成されており、開口や連通孔は形成していない。
【００５２】
支持部材６２は透水性および通気性を有しない合成樹脂などで形成している場合は、支持部材６２の面積が大きくなるので、遮光板と支持プレートに分離せず、比較的厚く、剛性が高い部材にする。発泡樹脂を採用する場合は、比較的低発泡の独立気泡の発泡樹脂とするのが好ましく、たとえば水泳練習用のビート板などを用いてもよい。なお、図２の金網２１を設けたり、図４の枠体４３を設けてもよく、その場合はスポンジ状の保持部材を採用することができる。
【００５３】
この実施形態では支持部材６２には複数個の植物を入れる開口６４を貫通させており、その表面には、その開口６４に向かって下がるように傾斜している給水溝６５が形成されている。給水溝６５は、中央に設けられる中央溝６６と、その中央溝から開口６４に向かう分岐溝６７とからなる。この実施形態では分岐溝６７は、開口６４の両側に向かう一対で設けられている。ただし１本だけでもよい。開口６４には、図２の場合と同様の中心部材２５を嵌合させ、その中心部材２５で植物の根元近辺を保持することができる。
【００５４】
中央溝６６の端部近辺には、支持部材６２を貫通する給水パイプ２７が立ち上がっており、その給水パイプ２７から流出する水を中央溝６６に流すようにしている。図９に示すように、給水パイプ２７は水中に配置されているポンプ３５が連結されている。ポンプ３５およびそのポンプを制御する制御回路などは、図１の植物栽培装置１０の場合と同じものでよい。また、容器４１にヒータ（図１の符号３３参照）を設けるのが好ましい。
【００５５】
図９に示すように、支持部材６２の端部には、開口６４の下部と外部とを連通する通気口６８が形成されている。この実施形態では、支持部材６２の側面および底面に形成した溝によって通気口６８を形成している。それにより容器６１に通気性が無く、連通孔を形成できない場合でも、支持部材６２と水Ｗとの間の空間Ｓに空気を供給することができ、植物の根腐れが防止される。なお、モータで駆動するファンなどによって強制的に空気を空間Ｓに供給するようにしてもよい。この点は図１の植物栽培装置１０や図４の植物栽培装置４０でも同様である。ただし乾燥し過ぎに気をつける必要がある。
【００５６】
図８および図９のプランタ型の植物栽培装置６０は、図１の植物栽培装置１０と実質的に同じ作用効果を奏する。さらに複数本の植物を栽培することができるので、異なる種類の植物を同時に栽培することができ、また空気清浄器として使用する場合でも、空気清浄機能が高い。
【００５７】
つぎに図１０〜１３を参照して本発明の植物栽培具を説明する。図１０の植物栽培具７０は、略籠状の枠体７１と、その枠体７１に収容される保持部材７２とからなる。枠体７１は、複数本（図１０では１２本）の隙間をあけて環状に配列される縦材７３と、それらの縦材を連結するリング部材７４と、そのリング部材７４の内側に設けられる支持桟７５と、いくつかの縦材７１から下方に延びる脚７６とからなる。
【００５８】
図１１に示すように、この実施形態では脚７６は６本であるが、３〜８本程度で、安定して支持できる本数であればよい。支持桟７５は図１１に示すように、中央のリング部７５ａと、その周囲に放射状に設けられる横桟７５ｂとからなる。支持部材は枠体７１は、合成樹脂成形品、あるいは金属成形品などが用いられるが、他の材料で構成することもできる。
【００５９】
前記保持部材７２は、図１のブロック材２２ｂと同一の材料、発泡ウレタンなどの連続気泡を備えた発泡樹脂、あるいは発泡ゴムなど、通気性および透水性を有する柔軟な材料で形成することができる。なお、ヤシ殻やシュロなどの天然繊維、ポリエステル繊維などの化学繊維など、通気性および透水性が高く、植物を保持できるものであれば、他の材料も採用することができる。保持部材７２の上面側には、側面に達する十文字状の切り込み７７が形成されている。保持部材７２を不織布や紙などで包むようにしてもよい。
【００６０】
このような植物栽培具７０は、保持部材７２の切り込み７７に植物を植えると共に、その保持部材を枠体７１に入れた状態で花屋などで販売される。保持部材７２の内部には販売する時点であらかじめ化学肥料などを入れておくのが好ましい。購入した消費者は、図１２に示すように、植物栽培具７０を手持ちの皿状の容器７８に立てて保持部材７２の上方から水をかけて植物Ｐを栽培すればよい。容器７８は深いものでもよいが、保持部材７２が水に浸からないように、脚７６の高さよりも浅い皿状ないし深皿状の容器７８が好ましい。それにより保持部材７２の周囲および底面が常時空気に触れるので、保持部材７２が清潔に保たれて根腐れが防止される。また、所定期間水を与えないことにより、保持部材７２を植物Ｐが枯れない範囲で乾燥させることができる。このように容器７８と組み合わせた植物栽培具７０は、１個の植物栽培装置として、図１などの植物栽培装置１０と実質的に同一の作用効果を奏する。
【００６１】
この植物栽培具７０および容器７８を用いて植物を栽培するには、まず図１３の左端に示すように、皿状の容器７８内に植物栽培具７０を立たせ、保持部材７２の上方から水をやる。それにより図１３の中央に示すように容器７８に溜まるが、保持部材７２は水に浸からない。この状態で植物Ｐを栽培する。容器７８内に水がある間は、保持部材７２もいくらか湿気が保たれている。そして図１３の右端に示すように、容器７８の水が蒸発して乾くと、保持部材７２も乾燥する。そして植物Ｐが枯れない範囲で保持部材７２を乾燥させた後、再び図１３の左端に示すように、保持部材７２の上方から水をやるようにする。
【００６２】
図１４および図１５に示す枠体８０は図１０の植物栽培具７０の枠体７１の変形例であり、１６本の縦材（支柱）７３と、それらの縦材７３を連結するリング部材７４と、そのリング部材７４から放射状に拡がる複数本の脚７６とを備えている。この枠体８０に図１０の保持部材７２を収容することにより、植物栽培装置が得られる。なお、この枠体８０には、保持部材７２の底部を支える支持桟が設けられていないが、保持部材７２を縦材７３の内部に弾力的に押し込むことにより、保持させることができる。
【００６３】
この枠体８０の縦材７３は図１４からわかるように、楕円状ないし長円状の断面形状を有し、縦方向の中心線を放射状に配置している。それぞれの縦材７３の上端の外周には、図１５および図１７に示すように、テーパ面７３ａが形成されている。また、図１７に示すように、上下方向の中央部の外側にはリング部材７４が嵌合するコ字状の切り欠き７３ｂが形成され、下端の外周側には下端側に開放される切り欠き７３ｃが形成されている。縦材７３の下端には、枠体８０を重ね合たときに、下の枠体のリング部材７４と嵌合する切り欠き７３ｃが形成されている。それにより枠体８０同士を重ねたときに嵩を減らすことができる。
【００６４】
図１６に示すように、リング部材７４は半径方向に扁平な板状の部材であり、外面に脚７６が固定されている。このように脚７６が外側に拡がることにより、植物が生長しても、枠体８０を安定した状態で容器内に立たせることができる。
【００６５】
上記の枠体８０は、たとえばリング部材７４と脚７６とを合成樹脂で一体成形し、その内面側に縦材７３を嵌合させて接着することにより、構成することができる。ただし全体を一体成形することもできる。この枠体８０に保持部材を収容したものは、図１２および図１３の場合と同様に、皿状ないし椀状の容器内に立たせて植物を栽培することができ、同一の作用効果が奏される。
【００６６】
図１８に示す植物栽培装置８１は、容器８２と、その容器内に設けた支柱８３と、その支柱の上端で中央部が天秤状に支持されるアーム８４と、そのアームの両端に支持される枠体８５、８６と、それらの枠体に保持される保持部材とからなる。このものは容器８２内に水を入れておき、常時は両方の枠体８５、８６を水面より上方に配置して植物を栽培する。そして必要に応じて両方の枠体８５を交互に水に漬けて水分を保持部材に補給する。それにより枠体８５、８６内の保持部材は、常時は空気中に晒されているので、乾燥し、根腐れが生じない。ただし植物の種類によっては、常時片方の枠体８５、８６を常時水に漬けておくようにしてもよい。
【００６７】
また、図１８の植物栽培装置８１ではアーム８４の両方に枠体および保持部材を設けているが、片方を重りにすることもでき、さらにアーム８４を片持ちにしてバネなどで上向きに付勢するようにすることもできる。その場合は１個の保持部材および１個の水槽で植物を栽培する。図１８のシーソータイプおよび前述の片持ちタイプのいずれの場合も、保持部材を確実に水に漬けた状態に維持するために、アーム８４と支柱８３あるいは容器８２との間に、アーム８４が持ち上がるのを防ぐための係止手段を設けるのが好ましい。なお、摩擦によって容易に持ち上がらないようにすることもできる。
【００６８】
図１８の場合はシーソータイプのアーム８４の両端に交互に水に浸かるように保持部材を配置しているが、図１９に示す植物栽培装置８７のように、容器８２を仕切り壁８８で仕切って２個の水槽８９ａ、８９ｂを形成し、それぞれに脚付きの枠体９０ａ、９０ｂを載置すると共に、水槽８９ａ、８９ｂ同士を給排水管９１で連結し、その途中に両方向の送水が可能なポンプ９２を介在させてもよい。
【００６９】
このものは図１９の上段に示すように、ポンプ９２を作動させて右側の水槽８９ｂから左側の水槽８９ａに水を送ると、左側の水槽８９ａの水位が上昇して左側の枠体９０ａに収容した保持部材を水に漬けることができる。そして同図の下段に示すように、ポンプ９２を逆向きに作動させて左側の水槽８９ａから右側の水槽８９ｂに水を送ると、右側の枠体９０ｂに収容した保持部材を水に漬けることができる。
【００７０】
なお、全体の水量およびポンプによる送水量を調節して、両側の枠体９０ａ、９０ｂの保持部材共、水に漬からない状態が得られるようにしてもよい。その場合は両方の枠体９０ａ、９０ｂの保持部材を水に漬けない状態に維持して植物が枯れない範囲で乾燥させることができる。また図１９に想像線で示すように、他の水槽を連結して、多数の植物を順に灌水することもできる。２個の水槽８９ａ、８９ｂを用いる場合も、多数の水槽を採用する場合も、それぞれの水槽を独立したタイプとすることもできる。その場合は全体として植物栽培装置を構成すると考えることもでき、複数ないし多数の植物栽培装置を連結した植物栽培システムと考えることもできる。図１８の植物栽培装置８１の場合も、２個の独立した容器で水槽を構成することができる。
【００７１】
図２０の植物栽培装置ないし植物栽培システム９３は、図１の植物栽培装置１０ａ、１０ｂ、１０ｃ・・・を多数配列し、各植物栽培装置の給水パイプ２７の出口を隣接する植物栽培装置の保持部材２２の上面まで延ばした構成としている。植物栽培装置１０ａ、１０ｂ、１０ｃ・・・は一列に配列してもよく、環状に配列してもよい。なお、ポンプ３５および給水パイプ２７は容器１１の外部に配置することもできる。その場合は容器１１の内部とポンプ３５とを別の管路で連結する。
【００７２】
このような植物栽培システム９３では、最初の植物栽培装置１０ａに給水した水が、次々と隣接する植物栽培装置１０ｂ、１０ｃ・・・に送られていくので、一個所に水が溜まらず、水の腐敗を防止でき、さらに水を節約することができる。なお、図１９のように配管同士で連結することもできるが、図２０のように給水パイプ２７で水を散布するようにすると、散布される水は空気に触れることにより浄化されるので、一層水の腐敗を防止できる。そして図１９の場合と同様に、適切な時期ごとに水が供給された後は、保持部材２２の周囲は空気に触れているので、保持部材が乾燥し、コケの発生や根腐れが防止される。
【００７３】
図２１の植物栽培システム９４は、２個の植物栽培装置１０ａ、１０ｂを隣接して配置し、給水パイプ２７を隣接する植物栽培装置の保持部材２２の上面まで延ばしている。このものも多数の植物栽培装置１０ａ、１０ｂ、１０ｃ・・・を配列する植物栽培システム９３とほぼ同一の作用効果を奏する。この場合もポンプ３５および給水パイプ２７は容器１１の外部に配置することもできる。
【００７４】
図２０および図２１の植物栽培システム９３、９４に用いる植物栽培装置としては、図４の植物栽培装置４０あるいは図１２の植物栽培装置とすることもできる。また、図２０および図２１の植物栽培システムにおいて、各植物栽培装置を上下の段差をつけて配列し、ポンプを使わずにサイホンの原理で隣接する下方の植物栽培装置に水を送水するようにしてもよい。さらに図１９の場合と同様に１個の容器に仕切り壁を設けて複数の水槽を構成し、それぞれの水槽を容器として図１、図４あるいは図１２の植物栽培装置を構成することもできる。またいずれの場合も、ポンプおよび給水パイプ２７を外部に設けることができる。
【００７５】
次に、図２２を用いてスリット付き保持部材９５を説明する。そのスリット付き保持部材９５には、中心近辺から側面近辺まで延びる複数本の円弧状のスリット９５ａが放射状に配置されている。そのスリット９５ａは保持部材９５の上端から下端まで貫通している。前記スリット付き保持部材９５は、前述した保持部材２２（図４参照）と同様な材質のもので形成される。
また、前記保持部材９５には、給水パイプ２７（図４参照）を通すため孔２６が形成されている。前記スリット９５ａのうち、孔２６の方向に延びるスリット９５ａは孔２６の手前まで延び、他のスリット９５ａに比べて長さが短かい。
【００７６】
前記スリット付き保持部材９５のスリット９５ａが集まる放射状の中心部分は、撓み易い。そのため、植物の根を挿入しやすい。また、その複数本のスリット９５ａは等間隔で３本以上形成されていると、植物の根をその周囲からバランスよく包み込むように保持することができる。さらに、そのスリット９５ａは、給水パイプ２７を介して供給される水を保持部材９５のすみずみまで案内し、かつ、植物の根を保持部材９５の全体にバランスよく行き渡らせる。そのようなスリット９５ａは３〜２０本程度、とくに６〜１２本程度形成するのが好ましい。
【００７７】
前記スリット付き保持部材９５は、植物の成長に応じて自然に撓んで、植物の自然な成長を妨げない。また、スリット９５ａの本数、湾曲具合あるいは長さを調節することで、スリット付き保持部材９５の撓み具合を変化させることができる。なお、スリット９５ａは、円弧状に形成しているが、直線状のスリットにすることもできる。
【００７８】
また、前記スリット９５ａは、植物の根がスリット付き保持部材９５の中央部から外周部分まで伸びる経路となる。そのため、スリット９５ａは、中央部から外周部分に向かって自然な湾曲具合でバランスよく形成するのが好ましい。また、スリット９５ａを渦巻き状に形成することもできる。
【００７９】
次に、図２３を用いて栽培装置のさらに他の実施形態について説明する。この栽培装置では前述の保持部材２２（図２参照）の中央から給水パイプ２７が立ち上がっており、その給水パイプ２７の周囲にシート状の第２の保持部材９６が巻かれている。なお、保持部材を円筒状に形成して、その開口部に給水パイプ２７を嵌合させてもよい。その場合は、円筒状の保持部材を所定の長さで複数本用意しておくと、容易に軸方向に積み重ねて延長することができる。
【００８０】
前記給水パイプ２７の上端から水が流れると保持部材９６の上方から水が溢れ出し、水が保持部材９６にしみこみながら、次第に下方に向かって流れる。そのため、栽培装置の上方から下方まで、比較的上下に広範囲に水を供給することができるので、ツタあるいはポトスなどの植物を栽培するのに適している。
また、給水パイプ２７を湾曲させて配置し、その周囲にシート状の保持部材９６を巻き付けると、給水パイプ２７の湾曲形状に沿って水を供給することができる。そのため、植物も同様な経路で成長させることができる。
【００８１】
このような保持部材９６を用いる場合には、その保持部材９６の周囲に棒状の支柱９７を並設し、それらの支柱９７の間に支持ひも９８などをかけ渡し、その支持ひも９８などにツタを絡ませることもできる。
なお、このような支柱９７および支持ひも９８は保持部材９６がない場合でも用いることができる。
【図面の簡単な説明】
【００８２】
【図１】本発明の植物栽培装置の一実施形態を示す断面図である。
【図２】その植物栽培装置の分解斜視図である。
【図３】本発明の植物栽培装置の他の実施形態を示す一部断面側面図である。
【図４】本発明の植物栽培装置のさらに他の実施形態を示す断面図である。
【図５】図４の植物栽培装置の要部分解斜視図である。
【図６】図４の植物栽培装置の要部分解斜視図である。
【図７】本発明の植物栽培装置に用いる保持部材を拡張していく場合を示す工程図である。
【図８】本発明の植物栽培装置のさらに他の実施形態を示す平面図である。
【図９】図８のIX-IX線断面図である。
【図１０】本発明の植物栽培装置のさらに他の実施形態を示す斜視図である。
【図１１】図１０の植物栽培装置の平面図である。
【図１２】図１０の物栽培装置の使用状態断面図である。
【図１３】図１０の植物栽培装置の使用方法の実施形態を示す工程図である。
【図１４】本発明に関わる枠体の他の実施形態を示す平面図
【図１５】その枠体の正面図である。
【図１６】図１４のXVI-XVI線断面図である。
【図１７】図１４の枠体の縦材を示す側面図である。
【図１８】本発明の植物栽培装置のさらに他の実施形態を示す概略構成図である。
【図１９】本発明の植物栽培装置のさらに他の実施形態を示す概略構成図である。
【図２０】本発明の植物栽培装置のさらに他の実施形態を示す概略構成図である。
【図２１】本発明の植物栽培装置のさらに他の実施形態を示す概略構成図である。
【図２２】本発明の植物栽培装置に用いられるスリット付き保持部材を示す概略斜面図である。
【図２３】本発明の植物栽培装置の他の実施形態を示す概略斜面図を示す。
【図２４】従来の植物栽培装置の一例を示す断面図である。
【図２５】従来の植物栽培装置の他の例を示す断面図である。
【符号の説明】
【００８３】
１０  植物栽培装置
１１  容器
１２  支持部材
１３  給水手段
１４  容器本体
１５  カバー
１６  縦溝
１７  段部
１８  連通孔
Ｗ  水
Ｓ  空間
２１  金網
２２  保持部材
２２ａ  支持プレート
２２ｂ  ブロック材
２２ｃ  切り欠き
Ｓ２  空間
２３  遮光板
２４  開口
２５  中心部材
２５ａ  スリット
２６  給水パイプを通す孔
２７  給水パイプ
２８  開口
２９  給水パイプを通す孔
Ｐ  植物
３３  ヒータ
３４  操作盤
３５  ポンプ
３６  操作ボタン
３７  電源コード
３８  水位計
３９  スリット
Ｍ  目盛り
４０  植物栽培装置
４１  容器
４２  底板
４３  枠体
４４  フランジ
４５  リブ
４６  切り欠き
４７  プレート
４８  カバープレート
４９  凹溝
５０  遮根シート
５１  環状のブロック材
６０  植物栽培装置
６１  容器
６２  支持部材
６３  給水手段
６４  開口
６５  給水溝
６６  中央溝
６７  分岐溝
６８  通気口
７０  植物栽培具
７１  枠体
７２  保持部材
７３  縦材
７３ａ  テーパ面
７３ｂ  切り欠き
７３ｃ  切り欠き
７４  リング部材
７５  支持桟
７５ａ  リング部
７５ｂ  横桟
７６  脚
７７  切り込み
７８  皿状の容器
８０  枠体
８１  植物栽培装置
８２  容器
８３  支柱
８４  アーム
８５、８６  枠体
８７  植物栽培装置
８８  仕切り壁
８９ａ、８９ｂ  水槽
９０ａ、９０ｂ  枠体
９１  給排水管
９２  ポンプ
９３  植物栽培システム
１０ａ、１０ｂ、１０ｃ  植物栽培装置
９４  植物栽培システム
９５  スリット付き保持部材
９５ａ  スリット
９６  シート状の保持部材
９７  支柱
９８  支持ひも
【図１】
2006158383.tif 000003
【図２】
2006158383.tif 000004
【図３】
2006158383.tif 000005
【図４】
2006158383.tif 000006
【図５】
2006158383.tif 000007
【図６】
2006158383.tif 000008
【図７】
2006158383.tif 000009
【図８】
2006158383.tif 000010
【図９】
2006158383.tif 000011
【図１０】
2006158383.tif 000012
【図１１】
2006158383.tif 000013
【図１２】
2006158383.tif 000014
【図１３】
2006158383.tif 000015
【図１４】
2006158383.tif 000016
【図１５】
2006158383.tif 000017
【図１６】
2006158383.tif 000018
【図１７】
2006158383.tif 000019
【図１８】
2006158383.tif 000020
【図１９】
2006158383.tif 000021
【図２０】
2006158383.tif 000022
【図２１】
2006158383.tif 000023
【図２２】
2006158383.tif 000024
【図２３】
2006158383.tif 000025
【図２４】
2006158383.tif 000026
【図２５】
2006158383.tif 000027